(57)【特許請求の範囲】
【請求項１】
袖部間の上流側に所定間隔をおいて打設される複数の前方鋼管と、
袖部間の下流側に所定間隔をおいて打設される複数の後方鋼管と、
前記複数の前方鋼管と前記複数の後方鋼管とを連結する連結部材と、
前記複数の前方鋼管と前記複数の後方鋼管の上流側に沿うように又は各鋼管に巻きつけて配置される両端を前記袖部に固定したアンカー部材に連結されえる少なくとも１本のワイヤロープと、
を備え、
前記複数の前方鋼管と前記複数の後方鋼管を下流側に凹になるように湾曲配列して打設し前記連結部材がトラス構造を構成することを特徴とする透過型砂防ダム。
【請求項２】
前記連結部材が高さを変えて複数段配置されることを特徴とする請求項１に記載の透過型砂防ダム。
【請求項３】
前記複数の前方鋼管と前記複数の後方鋼管を打設した地盤に上流側先端部が上流側に傾斜した基礎コンクリートを打設することを特徴とする請求項１又は２に記載の透過型砂防ダム。
【発明の詳細な説明】
【技術分野】
【０００１】
本発明は、平常時及び中小洪水時には土砂を下流側に流化させ、土石流発生時には、巨礫や流木の下流側への流出を防止する透過型砂防ダムに関する。
【背景技術】
【０００２】
特開２００３−１３８５４５号公報には、袖部間に複数の柱材を間隔をおいて立設し、複数の柱材の上流側にワイヤロープを張り渡しワイヤロープの端部を袖部に固定した透過型砂防ダムが開示されている。
【０００３】
特開２００４−６０３８８号公報には、袖部間に間隔をおいて垂直に構築された複数の受梁の上流側に鋼管からなる緩衝桁を配置し、巨礫や流木の衝突による衝突エネルギーを緩衝する透過型砂防ダムが開示されている。
【先行技術文献】
【特許文献】
【０００４】
【特許文献１】特開２００３−１３８５４５号公報
【特許文献２】特開２００４−６０３８８号公報
【発明の概要】
【発明が解決しようとする課題】
【０００５】
しかしながら、従来の透過型砂防ダムは、大規模の土石流が発生した場合の耐久性に問題があり、構築に多くの時間と費用が必要であるという問題がある。
【０００６】
本発明は、従来技術の持つ問題を解決する、構造が簡単で構築費用も低価格で大規模な土石流が発生しても耐久性のある透過型砂防ダムを提供することを目的とする。
【課題を解決するための手段】
【０００７】
本発明の透過型砂防ダムは、前記課題を解決するために、袖部間の上流側に所定間隔をおいて打設される複数の前方鋼管と、袖部間の下流側に所定間隔をおいて打設される複数の後方鋼管と、前記複数の前方鋼管と前記複数の後方鋼管とを連結する連結部材と、前記複数の前方鋼管と前記複数の後方鋼管の上流側に沿うように又は各鋼管に巻きつけて配置される両端を前記袖部に固定したアンカー部材に連結されえる少なくとも１本のワイヤロープと、を備え、前記複数の前方鋼管と前記複数の後方鋼管を下流側に凹になるように湾曲配列して打設し前記連結部材がトラス構造を構成することを特徴とする。
【０００８】
また、本発明の透過型砂防ダムは、前記連結部材が高さを変えて複数段配置されることを特徴とする。
【００１１】
また、本発明の透過型砂防ダムは、前記複数の前方鋼管と前記複数の後方鋼管を打設した地盤に上流側先端部が上流側に傾斜した基礎コンクリートを打設することを特徴とする。
【発明の効果】
【００１２】
袖部間の上流側に所定間隔をおいて打設される複数の前方鋼管と、袖部間の下流側に所定間隔をおいて打設される複数の後方鋼管と、前記複数の前方鋼管と前記複数の後方鋼管とを連結する連結部材と、前記複数の前方鋼管と前記複数の後方鋼管の上流側に沿うように又は各鋼管に巻きつけて配置される両端を前記袖部に固定したアンカー部材に連結されえる少なくとも１本のワイヤロープと、を備え、前記複数の前方鋼管と前記複数の鋼管を下流側に凹になるように湾曲配列して打設し前記連結部材がトラス構造を構成することで、構築が容易で、複数の鋼管がトラス構造で連結されているので、大規模な土石流による巨礫の衝突も複数本の鋼管全体でその衝撃を受け止めるこことで耐久性のある透過型砂防ダムとすることが可能となり、複数の前方鋼管と複数の後方鋼管の上流側に沿うように又は各鋼管に巻きつけて少なくとも１本のワイヤロープを配置し、前記ワイヤロープの両端を前記袖部に固定したアンカー部材に連結することで、トラス構造で連結された複数の鋼管と共同して土石流による流木、巨礫の下流への流出を防止することが可能となり、複数の前方鋼管と複数の後方鋼管を下流側に凹になるように湾曲配列して打設することで
土石流の発生による巨礫との衝突による衝撃力をトラス構造に連結された複数の鋼管が最大限の抵抗力を発揮して耐えることが可能となる。
連結部材が高さを変えて複数段配置されることで、より耐久性の高い透過型砂防ダムとすることが可能となる。
複数の前方鋼管と複数の後方鋼管を打設した地盤に上流側先端部が上流側に傾斜した基礎コンクリートを打設することで、土石流にる鋼管の周囲地盤の洗掘を防止することが可能となる。
【図面の簡単な説明】
【００１３】
【図１】本発明の実施形態を示す図である。
【図２】本発明の実施形態を示す図である。
【図３】本発明の実施形態を示す図である。
【図４】本発明の実施形態を示す図である。
【発明を実施するための形態】
【００１４】
本発明の実施の形態を図により説明する。図１、図２は、本発明の透過型砂防ダムの一実施形態を示す。
【００１５】
本発明の透過型砂防ダム１は、土石流の発生の恐れのある沢等の個所に通常の水の流れを許容する間隔でコンクリート製の袖部２、２を構築する。袖部２、２間の上流側に所定間隔をおいて複数の前方鋼管３を基礎地盤４中に直線状に打設する。前方鋼管３の基礎地盤４への打設は中堀オーガー等によるか、衝撃ハンマーによる。周囲地盤への影響の少ない中堀オーガーによる打設が望ましい。
【００１６】
前方鋼管３の基礎地盤４中の定着を確実にするため、前方鋼管３の先端にコンクリートモルタルの球根部３ａを形成すると良い。また、充填コンクリートモルタル３ｂを前方鋼管３の中途まで充填し固化させることにより前方鋼管３の強度を向上させることが可能となる。前方鋼管３の上端部には雨水の浸入を防止するためのキャップ３ｃを取り付ける。
【００１７】
袖部２、２間の下流側に所定間隔をおいて複数の後方鋼管５を基礎地盤４中に直線状に打設する。後方鋼管５の基礎地盤４への打設は中堀オーガー等によるか、衝撃ハンマーによる。周囲地盤への影響の少ない中堀オーガーによる打設が望ましい。
【００１８】
後方鋼管５の基礎地盤４中の定着を確実にするため、後方鋼管５の先端にコンクリートモルタルの球根部５ａを形成すると良い。また、充填コンクリートモルタル５ｂを後方鋼管５の中途まで充填し固化させることにより後方鋼管５の強度を向上させることが可能となる。後方鋼管５の上端部には雨水の浸入を防止するためのキャップ５ｃを取り付ける。
【００１９】
袖部２、２間に打設された複数の前方鋼管３と後方鋼管５を同一高さの個所で連結部材６により連結される。連結部材６は強度が大きく耐久性のあるＨ型鋼やＩ型鋼で形成される。連結部材６は、前方鋼管３、後方鋼管５に固定された連結受けに固定ボルト等の固定手段で連結する。
【００２０】
複数の前方鋼管３と後方鋼管５を連結する連結部材６はトラス構造を構成する。複数の前方鋼管３と複数の後方鋼管５が連結部材６によりトラス構造で連結されることにより、土石流発生時の巨礫等の衝突による衝撃を、複数の前方鋼管３と後方鋼管５全体で抵抗するので、耐久性の大きい透過型砂防ダム１を提供することが可能となる。連結部材６を複数の前方鋼管３と後方鋼管５に高さを変えて複数段形成しても良い。複数段の連結部材６によるトラス構造が形成されることにより耐久性と土石流に対する抵抗力が向上する。
【００２１】
複数の前方鋼管３と後方鋼管５の連結部材６による連結個所と高さの異なる位置でワイヤロープ７を、前方鋼管３、後方鋼管５の上流側に沿うように、又は前方鋼管３、後方鋼管５に巻き付けて配置する。ワイヤロープ７の両端は袖部２に固定したアンカー８に連結する。土石流発生時、巨礫、流木の衝突による衝撃力に対して、ワイヤロープ７は、トラス構造で連結された複数の前方鋼管３、後方鋼管５と共同して抵抗し、より耐久性の高い透過型砂防ダム１とすることが可能となる。
【００２２】
図３は、本発明の透過型砂防ダムの実施形態を示す。この実施形態では、複数の前方鋼管３と複数の後方鋼管５を下流側に凹となるように湾曲して配置する。連結部材４によるトラス構造、ワイヤロープ７に連結は、図１、図２に示す実施形態と同様であるので説明を省略する。
【００２３】
複数の前方鋼管３と複数の後方鋼管５を下流側に凹となるように湾曲して配置することにより、土石流の発生による巨礫との衝突による衝撃力をトラス構造に連結された複数の鋼管が最大限の抵抗力を発揮して耐えることが可能となる。
【００２４】
図４に示すように、複数の前方鋼管３と複数の後方鋼管５を打設した基礎地盤４に基礎コンクリート１０を構築する。基礎コンクリート１０の上流側の先端に傾斜先端部９ａを形成し、水の流れによる複数の前方鋼管３と複数の後方鋼管５の周囲の基礎地盤４の洗掘を防止する。
【００２５】
以上のように、本発明の透過型砂防ダム１によれば、構築が容易で、複数の鋼管がトラス構造で連結されているので、大規模な土石流による巨礫の衝突も複数本の鋼管全体でその衝撃を受け止めるこことで耐久性のある透過型砂防ダムとすることが可能となる。
【符号の説明】
【００２６】
１：透過型砂防ダム、２：袖部、３：前方鋼管、３ａ：球根部、３ｂ：充填コンクリートモルタル、３ｃ：キャップ、４：基礎地盤、５：後方鋼管、５ａ：球根部、５ｂ：充填コンクリートモルタル、５ｃ：キャップ、６：連結部材、７：ワイヤロープ、８：アンカー、９：基礎コンクリート、９ａ：傾斜先端部
【図１】
0005977315.tif 000002
【図２】
0005977315.tif 000003
【図３】
0005977315.tif 000004
【図４】
0005977315.tif 000005